(57)【特許請求の範囲】
【請求項１】
ベースボード本体前面側に複数のＬＥＤ挿着用ホルダが一体成形された合成樹脂製ホルダ一体型ベースボードを成形する金型の構造であって、
前記金型は、ベースボード本体背面側を成形する第１の金型と、前記第１の金型と正対し、ベースボード本体前面側を成形する第２の金型とを備え、前記第２の金型に設けられたホルダ成形キャビティが、第２の金型本体に対し挿脱着可能な入子で構成され、
前記入子は、ＬＥＤ挿着用ホルダの外側を成形する筒型の外周ブロックと、前記外周ブロックの内側に挿入配置されてＬＥＤ挿着穴を含むＬＥＤ挿着用ホルダの内側を成形する内周ブロックとを備え、
前記ホルダに挿着されるＬＥＤは、ＬＥＤの圧接端子がホルダのＬＥＤ挿着穴に配設された電気コードの絶縁被覆を裂断して電気コード芯線部に圧接状態に保持される圧接配線構造で、前記ホルダのＬＥＤ挿着穴には、挿入されるＬＥＤの圧接端子に対し電気コードを担持する薄厚のコード担持部が突出形成されており、
前記入子を構成する内周ブロックは、前記外周ブロックの内側に係合する外側内周ブロックと、前記外側内周ブロックの内側に係合する内側内周ブロックで構成されるとともに、前記外側内周ブロックと内側内周ブロック間の境界が前記コード担持部成形キャビティの末端部に臨む位置とされたことを特徴とするＬＥＤ挿着用ホルダ一体型ベースボード成形用の金型構造。
【発明の詳細な説明】
【０００１】
【発明の属する技術分野】
自動車の標識灯、特に自動車のテール＆ストップランプやターンシグナルランプ等のリアランプとして、光源にＬＥＤ（発光ダイオード）を用いた灯具が知られている。ＬＥＤは、灯室内に収容される合成樹脂製ベースボード前面に並設された多数のホルダーに挿着されて、前面レンズ全体を発光させるようになっている。
【０００２】
本発明は、前記した灯具の光源であるＬＥＤを配設するためのＬＥＤ配設用ベースボードを成形する金型の構造に係わり、特にベースボード本体にＬＥＤ挿着用ホルダが一体成形されたＬＥＤ挿着用ホルダ一体型ベースボードを成形する金型の構造に関する。
【０００３】
【従来の技術】
この種のベースボードは、図１６，１７に示すように、ベースボード本体ａが前面レンズｅの曲面形状に倣った段付き三次元曲面形状に形成され、ベースボード本体ａの各段部ｂには、ＬＥＤ挿着用ホルダｃが挿着されてベースボード本体ａに一体化されている。そして、各ホルダｃに挿着されたＬＥＤｄは、前面レンズｅの曲面形状に倣った曲面上に配列されて、前面レンズｅ全体を均一に発光させる。
【０００４】
前記した従来構造のベースボードでは、ＬＥＤ挿着用ホルダｃがベースボード本体ａと別体であるため、部品点数が多く、挿着固定作業も面倒である。そこで、図１８に示すように、ＬＥＤ挿着用ホルダｃをベースボード本体ａに一体成形したホルダ一体型ベースボードが提案されるに至った。
【０００５】
そして、このホルダ一体型ベースボードは、多数のホルダ成形用キャビティが形成されたベースボード本体前面側（ホルダ側）成形用の第１の金型と、ベースボード本体背面側を成形する第２の金型とを備えた金型を使った射出成形により、成形される。
【０００６】
【発明が解決しようとする課題】
そして、成形された成形品であるホルダ一体型ベースボードを実際に灯具に組み付けたときに、例えばベースボードや前面レンズの組み付け誤差から、一部のＬＥＤと前面レンズ間距離が設計通りとならなかったり、各ＬＥＤの近傍にリフレクタを設ける場合には、例えばベースボードやリフレクタの組み付け誤差から、リフレクタに対する一部のＬＥＤの位置が設計通りとならなかったりして、前面レンズが均一に発光しないとか、適正な配光が得られない等のおそれがあるので、このような場合には、ベースボードの試作の段階で、ホルダが適正位置となるように金型の成形面の修正が必要となる。
【０００７】
しかし、ベースボード本体前面側（ホルダ側）を成形する第１の金型の成形面に形成されている多数のホルダ成形用キャビティのうちの一部だけを修正することは困難で、結局は多数のホルダ成形用キャビティを形成した新たな第１の金型を製造することに他ならず、コスト的、時間的に多大な労力を強いられるという問題が生じた。
【０００８】
そこで、発明者は、各ホルダに対応するホルダ成形キャビティを金型本体に対し挿脱着可能な入子構造とし、試作品の段階において修正が必要な入子だけを修正した別の新たな入子に交換するようにしたところ、非常に便利であることが確認されたので、本発明を提案するに至ったものである。
【０００９】
本発明は、前記した従来技術の問題点に鑑みてなされたもので、その目的は、ホルダ形成位置の修正に簡単に対応できるＬＥＤ挿着用ホルダ一体型ベースボード成形用の金型構造を提供することにある。
【００１０】
【課題を解決するための手段】
前記目的を達成するために、請求項１に係るＬＥＤ挿着用ホルダ一体型ベースボード成形用の金型構造においては、ベースボード本体前面側に複数のＬＥＤ挿着用ホルダが一体成形された合成樹脂製ホルダ一体型ベースボードを成形する金型の構造であって、
前記金型を、ベースボード本体背面側を成形する第１の金型と、前記第１の金型と正対し、ベースボード本体前面側を成形する第２の金型とを備えて構成し、前記第２の金型に設けたホルダ成形キャビティを、第１の金型本体に対し挿脱着可能な入子で構成するようにした。
（作用）試作したベースボードの各ホルダにＬＥＤを挿着し、灯具として組み付けて点灯させたところ、一部のＬＥＤ配設位置（ホルダ位置）を修正する必要が生じた場合には、修正したいＬＥＤに対応するホルダ成形用の入子を第２の金型本体から抜き出して、ＬＥＤ挿着穴位置を修正した新たなホルダ成形用の入子と交換することで、ベースボードにおけるＬＥＤ挿着穴の位置（ホルダ位置）を修正できる。
【００１１】
また、請求項１に係るＬＥＤ挿着用ホルダ一体型ベースボード成形用の金型構造においては、前記入子を、ＬＥＤ挿着用ホルダの外側を成形する筒型の外周ブロックと、前記外周ブロックの内側に挿入配置されてＬＥＤ挿着穴を含むＬＥＤ挿着用ホルダの内側を成形する内周ブロックとを備えて構成するようにした。
（作用）外周ブロックにおける内周ブロックの挿入位置を修正することで、即ち、内周ブロック挿入用の係合穴を水平方向にずらした他の外周ブロックに交換することで、ベースボードにおけるＬＥＤ挿着穴の位置（ホルダ位置）を修正できる。
【００１２】
また、請求項１に係るＬＥＤ挿着用ホルダ一体型ベースボード成形用の金型構造においては、前記ホルダに挿着されるＬＥＤは、ＬＥＤのリード端子がホルダのＬＥＤ挿着穴に配設された電気コードの絶縁被覆を裂断して電気コード芯線部に圧接状態に保持される圧接配線構造で、前記ホルダのＬＥＤ挿着穴には、挿入されるＬＥＤのリード端子に対し電気コードを担持する薄厚のコード担持部が突出形成されており、
前記入子を構成する内周ブロックを、前記外周ブロックの内側に係合する外側内周ブロックと、前記外側内周ブロックの内側に係合する内側内周ブロックで構成するとともに、前記外側内周ブロックと内側内周ブロック間の境界を前記コード担持部成形キャビティの末端部に臨む位置となるように構成した。
【００１３】
ここで、ＬＥＤのリード端子は、例えば、その長さ方向の中間部において板厚方向に折り返し加工されており、その基端側と先端側の２箇所において前記ホルダのＬＥＤ挿着孔に嵌入され、かつ前記電気コードに接触される。即ち、ホルダーのＬＥＤ挿着孔に挿入されたリード端子は、電気コードの絶縁被覆を裂断し芯線部に圧接状態に保持される。
（作用）ベースボード成形用キャビティへの溶融樹脂の注入工程において、金型（ベースボード成形用キャビティ）内に注入された溶融樹脂は、コード担持部成形キャビティ内に流入し、コード担持部成形キャビティ内のガスは、流入する溶融樹脂に押されて、外側内周ブロックと内側内周ブロック間の境界から金型外に抜けて、コード担持部成形キャビティの末端部にまで溶融樹脂が確実に充填される。
【００１４】
【発明の実施の形態】
次に、本発明の実施形態を実施例に基づいて説明する。
【００１５】
図１〜図９は、本発明の金型を用いて射出成形したベースボードにＬＥＤを挿着一体化した光源ユニットを収容した自動車用テールアンドストップランプの実施例を示しており、図１は同ランプの正面図、図２は同ランプの水平断面図（図１に示す線II−IIに沿う断面図）、図３は同ランプの縦断面図（図１に示す線III−IIIに沿う断面図）、図４は同ランプの要部分解斜視図、図５はホルダーの平面図、図６はホルダーの縦断面図、図７は同ランプの要部拡大縦断面図、図８はホルダーおよびＬＥＤの分解斜視図、図９は制御回路基板の斜視図である。
【００１６】
これらの図、特に図１，２に示すように、テールアンドストップランプは、自動車後部の左コーナ部に取り付けられるもので、その全体形状が車体幅方向中央部寄りから車体左側方にかけて水平方向に回り込んだ形状に形成されている。したがって、容器状の合成樹脂製のランプボディ１の前面開口部は、自動車外板Ｃ（図２参照）の三次面に倣った三次元形状に形成されている。そして、ランプボディ１の前面開口部には、自動車外板Ｃの三次面に倣った三次元形状に形成された前面レンズ２が組み付け一体化されて、ランプボディ１と前面レンズ２とで灯室Ｓ（図２，３参照）が画成されている。なお、前面レンズ２は、その周縁部において、ランプボディ１の前面開口部周縁部１ａに熱溶着等によって固定されている。
【００１７】
そして、灯室Ｓ内には、図２，３に示すように前面レンズ２にほぼ沿った形状のリフレクタ８が収容されており、リフレクタ８のエクステンション部８３は、前面レンズ２と同様な三次面形状に形成されている。また、リフレクタ８は、後述するベースボード４に組み立てられた各ＬＥＤ６に対向する回転放物面形状の複数のリフレクタタ部８４を有している。
【００１８】
また、リフレクタ８は、ベースボード４と同じ材質の樹脂を用いた樹脂成形によって一体に成形されるとともに、その前面側は、アルミニウム蒸着膜等が形成されて反射面として構成されている。特に、リフレクタ部８４の反射面は、微小凹凸が設けられたシボ加工処理反射面で構成されて、ＬＥＤ６の発光が拡散反射される。アウターレンズ２はライトレッド色で、ＬＥＤ６の赤色の発光は、アウターレンズ２を透過することで深みのある赤色になる。
【００１９】
また、リフレクタ８は、ランプボディ１の内側にすっぽりと収まり、前面レンズ２をランプボディ１に溶着することで、前面レンズ２とランプボディ１間にがたなく固定される。
【００２０】
また、リフクレタ８の各リフレクタ部８４の背面には開口部８４ａが設けられ、この開口部８４ａ内には、ベースボード４に支持されたＬＥＤ６の樹脂モールド６２が臨んで配置されて、ＬＥＤ６の樹脂モールド６２がリフクレタ８（リフレクタ部８４）で囲繞された形態に保持されている（図７参照）。
【００２１】
即ち、図４に示すように、ベースボード４の前面側に突出形成された４個の掛止フック４２をリフレクタ８の背面側に延出形成された延出片８６の係合孔８６ａに、ベースボード４の前面側に設けられた４個係合孔４３にリフレクタ８の背面側に延出形成された延出片８７をそれぞれ係合させると、ベースボード４に支持されたＬＥＤ６の樹脂モールド６２がリフクレタ８の開口部８４ａから突出するとともに、ベースボード４の周縁部がリフレクタ８の背面側に当接して、リフレクタ８とベースボード４が上下左右前後方向に互いに位置決めされてがたなく固定一体化される。
【００２２】
また、ランプボディ１に組み付けられたリフクレター８の右端部寄りの背後には、ベースボード４に支持された制御回路基板９が配置されているが、リフレクタ８の制御回路基板９に対応する位置には、車体後方から前面レンズ２を介して入射した光を入射方向に向けて反射する再帰反射面で構成されたリフレックスリフレクタ１００が設けられて、ランプの前方から制御回路基板９が見えないようになっている。
【００２３】
また、リフクレタ８の左側端部寄りには、前面レンズ２を介して入射した車体側方からの光を入射方向に向けて反射する再帰反射面で構成されたサイドリフレックスリフレクタ１０２（図１，２参照）が設けられている。
【００２４】
次に、べ一スボード４，ＬＥＤ６，電気コード７および制御回路基板９からなる光源ユニット３の詳細を説明する。
【００２５】
ベースボード４は、図２，３，４に示すように、三次元方向に階段配置した複数の段部４１で構成されており、各段部４１はほぼ前面レンズ２の三次面形状に沿って配列され、ランプボディ１に固定されている。各段部４１には、全て同一形状のＬＥＤ挿着用のホルダ５が突設され、このホルダ５にＬＥＤ６が保持されるとともに、絶縁被覆を有する電気コード７が各ホルダ５にわたって延設され、この電気コード７によって各ＬＥＤ６への通電が行われている。ベースボード４の右側縁部の前面側には、ＬＥＤ６の発光を制御するための電気回路を構成する制御回路基板９が取着され、各ホルダー５に延びる電気コード７は、この制御回路基板９に電気接続されている。
【００２６】
ホルダー５は、樹脂の一体成形によりベースボード４に一体化されており、段部４１は車体の上下方向及び左右方向に向けて階段状に形成され、各段部４１および各段部４１に突設された各ホルダー５は、これらを包絡したときに前面レンズ２にほぼ平行する三次曲面を構成するように樹脂成形によって一体に形成されている。そして、ベースボード４は、その周辺部の１箇所に設けられたボス部４４においてランプボディ１にねじ４５により固定されている。（図４参照）
ホルダー５は、図５，６，７に拡大して示すように、前面が開口された矩形の容器形状に形成されており、段部４１の前面に対し垂直に突出している。ホルダ５の前面開口は両側壁内面の長手方向中間位置に設けられた突条５３によって、長手方向に並んだ２つの端子挿入口５４に画成されており、これら２つの端子挿入口５４に対応するホルダ５の両側壁には、前面側から背面側に向けてコード挿通溝５５が切り欠き形成されている。なお、このコード挿通溝５５は、開口側では幅広に形成されているが、先端側５５aでは幅狭に形成されており、この溝先端側５５ａの幅寸法は電気コード７の径寸法にほぼ等しくされている。なお、コード挿通溝５５先端位置の端子挿入口５４の内底面には、端子挿入口５４内に配設された電気コード７を担持するコード担持部であって、ＬＥＤ６のリード端子６３の先端が嵌合するガイド片５６が立設されている。
【００２７】
ＬＥＤ６は、ディスクリート型ＬＥＤとして構成されており、図８に拡大して示すように、ＬＥＤ素子チップ６１を樹脂モールド６２により封止するとともに、ＬＥＤ素子チップ６１に電気接続される一対の平行なリード端子６３が樹脂モールド６２から突出された構成である。符号６１ａは、ＬＥＤ素子チップ６１と対向リード端子６３とを接続するボディングワイヤを示す。リード端子６３は、金属板をプレス或いはエッチング加工したリードフレームを個々に切断し、かつ曲げ加工して形成されたものであり、曲げ加工前には、図８仮想線に示すように、中心領域にスリット６４を有する細長い帯片形状をしている。ここで、リード端子６３の幅寸法はホルダ５の端子挿入口５４の幅寸法よりも若干小さい寸法に形成されている。
【００２８】
一方、スリット６４は、その長さ方向の中間部の幅広スリット部６５とその両端の幅狭スリット部６６とで構成されており、幅狭スリット部６５は長円型に形成されて幅狭スリット部６６との境界部６５aが円弧状に形成されている。また、幅広スリット部６５の幅寸法は、電気コード７の径寸法よりも若干大きい寸法に形成され、また幅狭スリット部６６の幅寸法は電気コード７の絶縁被覆内の芯線の径寸法にほぼ等しい寸法に形成されている。そして、リード端子６３は図７に示すように、ほぼ長さ方向の中間位置、すなわち幅広スリット部６５の中間位置において板厚方向に略コ字状に折り返され、これによりリード端子６３は、幅広スリット部６５の中間位置を先端とした二股状でかつ折り返しによってホルダ５の端子挿入口５４の幅寸法に等しい幅の二枚刃形状のリードとして形成されることになる。
【００２９】
また、リード端子６３の側縁には、抜け止め用の微小突起６９が形成されており、リード端子６３がホルダー５内に挿入されると、微小突起６９が壁面に食い込んでリード端子６３を抜け止めする。
【００３０】
以上の構成のベースボード４，ＬＥＤ６，電気コード７により光源ユニット３を組み立てる際には、先ず、ベースボード４の各ホルダ５にわたって２本の電気コード７を並行に配置する。電気コード７は、図７に拡大して示すように、芯線７１を絶縁材で被覆した絶縁被覆電線コードであり、ホルダ５の各一対の端子挿入口５４にそれぞれ設けられたコード挿通溝５５の先端側５５ａ内に挿入される。しかる上で、電気コード７に対してＬＥＤ６の一対のリード端子６３を各端子挿入口５４内に挿入する。コード挿通溝５５の電気コード７は、溝先端側５５ａ底部に延在するガイド片５６によって下方から担持された状態となっているため、挿入されるリード端子６３は、先ず、幅広スリット部６５が電気コード７の絶縁被覆７２を径方向に挟むように進行され、次いで、幅狭スリット部６６が絶縁被覆７２を裂断しながら進行する。このとき、幅広スリット部６５と幅狭スリット部６６との境界部６５ａは直角に近いエッジ形状をしているため、絶縁被覆の裂断効果が高められる。そして、幅狭スリット部６６が電気コード７を挟む位置まで挿入されると、幅狭スリット部６６と電気コード７の芯線７１とが直接接触され、リード端子６３と電気コード７との電気接続が行われる。そして、リード端子６３の側縁に設けられている微小突起６９が壁面に食い込むため、リード端子６３は端子挿入口５４に挿入された位置で芯線７１に圧接したままの形態が強固に保持されることとなる。
【００３１】
また、前記したように、リード端子６３は折り曲げによって二枚刃形状とされているため、各片部においてリード端子６３が端子挿入口５４の内面に当接されることになり、この結果ＬＥＤ６が傾倒され難いものとなる。
【００３２】
また、リード端子６３は、各片部において電気コード７に対して２箇所で電気接続されるため、確実な接続が可能となり、かつ両者間の接触抵抗を低減する上でも有利である。
【００３３】
一方、電気コード７は、その一端がベースボード４に取着した制御回路基板９に電気接続される（図４参照）。
即ち、制御回路基板９は、図９に示すように、プリント回路基板９１上に各種電子部品９２が搭載されるとともに、その一部は図外のバッテリに接続した電源コード９４がコネクタ９３を介して接続されている。そして、プリント回路基板９１と電気コード７との電気接続を行うために、プリント回路基板９１の背面（電気部品９２搭載側）の一部には、ＬＥＤ６のリード端子６３と同じ形状をした一対の電極端子９６が立設されている。すなわち、この電極端子９６はＬＥＤ６のうちのリード端子６３のみを同様に曲げ加工した上で、その両端部をプリント回路基板９１に半田付けにより取着したものである。したがって、電極端子９６は、その先端から基端に向けてリード端子６３の幅広スリット部６５と幅狭スリット部６６からなるスリット６４と同様なスリット９７が形成されている。
【００３４】
また、ベースボード４の右側端部寄りの前面側には、ホルダ５と同一構造のホルダ５Ａが突出形成されている。そして、制御回路基板９側の電極端子９６に対して電気コード７を接続するには、まず、前面側が上となるようにベースボード４をあお向けにし、上方に開口するホルダ５Ａのコード挿通溝５５に電気コード７を挿通する。次いで、制御回路基板９の電子部品９２搭載側を下にして、即ち、図８に示す形態をちょうど逆様にして、電極端子９６をホルダ５Ａに嵌入する。これにより、ホルダ５Ａ内の電気コード７は、電極端子９６のスリット９７によって、ＬＥＤ６の場合と同様に、電気コード７の絶縁被覆を裂断し、電気コード７と電極端子９６との電気接続が可能となる。
【００３５】
また、ベースボード４の右側端部寄りには、図４に示すように、制御回路基板９に対応する開口部２１が形成され、換言すれば、ベースボード４の右側端部寄りは、制御回路基板９に対応する開口部２１の形成された枠形状に形成されている。そして、開口部２１の周縁部には、ホルダ５Ａと協働して制御回路基板９を担持する左右一対のリブ２２と、制御回路基板９を左右方向に位置決めしかつ抜け止めする二対の掛止爪２３と、制御回路基板９側の切欠に係合して位置決めするき掛止リブ２４とが突設され、開口部２１の上下方向ほぼ中央部を左右に横切る位置にも、制御回路基板９を担持する水平リブ２５が突設されている。
【００３６】
そして、制御回路基板９をリブ２３，２４の付勢力に抗して押し込み、電極端子９６をホルダー５Ａ内に挿入すると、制御回路基板９は上下左右方向に位置決めされ、かつリブ２２，２５およびホルダー５Ａで担持された形態となる。そこで、水平リブ２５に立設されたボス２６にねじ２７を配して制御回路基板９をベースボード４に固定することで、制御回路基板９がベースボード４の前面から離間した形態に保持される。
【００３７】
このテール＆ストップランプでは、図外のバッテリに電気接続される電源コード９４からの電力は制御回路基板９に供給され、さらに、電極端子９６と電気接続される一対の電気コード７に供給される。そして、これらの電気コード７は、ベースボード４の複数の段部４１に立設されているホルダ５内に延設され、ホルダ５内においてＬＥＤ６のリード端子と電気接続されて、各ＬＥＤ６が発光する。ＬＥＤ６の発光は、リフレクタ８のリフレクタ部８４によって集光され、レンズ２を通してランプの前方に出射される。
【００３８】
そして、このランプの組み付け手順としては、まず、リフレクタ８に光源ユニット３を組み付け一体化する。このリフレクタ・光源ユニット組み付け体をランプボディ１内に収容し、前面レンズ２をランプボディ１に溶着一体化した後、ランプボディ１の背面側からランプボディ１背面壁と光源ユニット３のベースボード４とをねじ４５で固定する。なお、前面レンズ２のランプボディ１への溶着と、ランプボディ背面壁とベースボード４との固定とは、どちらが先きでもよい。
【００３９】
このように、本実施例では、ベースボード４を階段状に形成して三次元配置した複数の段部４１を形成し、さらに各段部４１に形成したホルダ５にそれぞれＬＥＤ６を挿着することで、ＬＥＤ６の三次元配置を実現しているため、従来のように複数の基板を三次元配置して組み立てる必要がなく、さらに光源ユニット３を構成する部品点数の削減と低コスト化が実現でき、しかも組み立て作業の簡易化が可能となる。
【００４０】
一方、光源ユニット３の組み立てに際しては、電気コード７をホルダ５のコード挿通孔５５に挿通した上でＬＥＤ６のリード端子６３をホルダ５の端子挿入口５４内に挿入することで、リード端子６３と端子挿入口５４との嵌合によってＬＥＤ６の保持と、ＬＥＤ６と電気コード７の電気接続の両方を同時に行うことができ、組み立ては極めて簡単となる。
【００４１】
また、このとき、リード端子６３に設けた幅広スリット部６５と幅狭スリット部６６との境界部（のエッジ）６５ａにおいて電気コード７の絶縁被覆７２を好適に裂断してリード端子６３と電気コード７の芯線７１との良好な電気接続が行われる。さらに、ＬＥＤ６のリード端子６３は折り曲げ加工によって二枚刃構成とされているので、リード端子６３と電気コード７との接触が２箇所で行われ、好適な電気接続が可能であるとともに、リード端子６３の板厚方向の寸法を大きくとることができ、ＬＥＤ６がホルダ５内で傾倒することが防止され、ＬＥＤ６の光軸方向の安定性と、電気コード７に対する電気接続性がそれぞれ向上できる。
【００４２】
また、ベースボード４に一体的に取り付けられたリフレクタ８は、ベースボード４と同じ材質で形成しているため、ＬＥＤ６の発光によりベースボード４及びリフレクタ８が加熱された場合でも、ベースボード４とリフレクタ８は等しく熱膨張されるため、ベースボード４に対してリフレク８の相対位置変化が生じることがなく、リフレクタ部８３におけるＬＥＤ６の光軸位置の位置ずれが防止できる。
【００４３】
次に、ベースボード４を射出成形する金型の実施例を図１０〜図１４に基づいて説明する。図１０は本発明のベースボード成形用金型の第１の実施例の断面図、図１１はホルダ成形用キャビティ周辺の拡大断面図、図１２はホルダ成形用キャビティを構成する入子の断面図（図１１に示す線XII−XIIに沿う断面図）、図１３はホルダ位置を所定量平行にずらす場合を示す平面図、図１４はホルダ位置を所定量平行にずらす場合を示す断面図（図１３に示す線XIV−XIV沿う断面図）である。
【００４４】
金型は、図１０に示すように、ベースボードの背面側を成形する固定側の第１の金型２１０と、第１の金型２１０と正対し、ベースボードの前面側を成形する可動側の第２の金型２２０で構成され、第２の金型２２０は第１の金型２１０に対し接近離反方向（図１０矢印方向）に移動できる。
【００４５】
第１の金型２１０と第２の金型２２０の対向する成形面２１２，２２２間には、ベースボード成形用のキャビティＣ１が形成され、第２の金型２２０の成形面２２２には、キャビティＣ１にそれぞれ連通する、ベースボード前面側に形成される多数のホルダ５成形用のキャビティＣ２や掛止フック４２成形用のキャビティ（図示せず）や制御回路基板９を支持するためのリブ２２，２３，２４，２５成形用のキャビティＣ３が形成されている。そして、第１の金型２１０と第２の金型２２０を型締めし、第１の金型２１０に設けたゲート（図示せず）から金型２１０，２２０間のベースボード成形用のキャビティＣ１に溶融樹脂を射出し、キャビティ内に充填した溶融樹脂を冷却固化することで、ベースボード４が成形される。
【００４６】
また、各ホルダ５成形用のキャビティＣ２は、図１１，１２に示すように、ホルダ５の外側を成形する筒型の外周ブロック３１０と、外周ブロック３１０の内側に挿入配置されて端子挿入口５４を含むホルダ５の内側を成形する内周ブロック３２０とを備えた入子３００で構成されている。入子３００（外周ブロック３１０および内周ブロック３２０）は、ガイド棒３０２の先端部に側方からスライド係合してガイド棒３０２に一体化できるように構成されている。符号３０４は、入子３００とガイド棒３０２間のスライド係合部を示す。そして、第２の金型２２０の成形面２１２側から入子挿着穴２２４に挿入された入子３００は、ボルト２２６によって金型２２０に固定されている。そして、試作したベースボード４における一部のホルダ５の位置を修正したい場合には、入子３００を適正なものに交換することで対応できる。
【００４７】
即ち、試作したベースボード４の各ホルダ５にＬＥＤ６を挿着し配線し、ランプとして組み付けて点灯させたところ、ベースボード４や前面レンズ２やリフレクタ８の組み付け誤差から、一部のＬＥＤ６と前面レンズ２やリフレクタ８（リフレクタ部８４）間距離が設計通りとならず、前面レンズ２が均一に発光しないとか、適正な配光が得られない場合がある。そして、このような場合には、ＬＥＤ６の配置（ホルダ５の配置）が適正位置となるように第２の金型２２０における成形面２２２における不適正なホルダ位置の修正が必要となるが、修正したいＬＥＤに対応するホルダ成形用の入子３００を金型本体２２０（入子挿着穴２２４）から抜き出して、端子挿着口５４位置を修正した新たなホルダ成形用の入子３００と交換することで、ベースボード４におけるホルダ５形成位置（ＬＥＤ挿着穴の位置）を修正できる。
【００４８】
特に、修正したいＬＥＤ６に対応する入子３００の外周ブロック３１０を、端子挿着口５４が適正位置となるように外周ブロック内側の内周ブロック係合穴位置を水平方向にずらして形成した新たな外周ブロック３１０に交換することで、内周ブロック３２０は交換することなくベースボード４におけるホルダ５形成位置（ＬＥＤ挿着穴の位置）を、例えば図１３，１４に示す仮想線位置から実線で示す位置に修正できる。
【００４９】
さらに、内周ブロック３２０は、外周ブロック３１０の内側に係合する筒型の外側内周ブロック３２１と、外側内周ブロック３２１の内側に係合する内側内周ブロック３２２で構成されている。そして、外側内周ブロック３２１と内側内周ブロック３２２間の境界３２３（図１１参照）がコード担持部であるガイド片５６を成形するキャビティＣ４の末端部に臨む位置となって、薄厚のガイド片５６先端部に欠肉部が生じない構造となっている。
【００５０】
即ち、ホルダ５の端子挿着口５４の底面に立設されたガイド片５６は、電気コード７の太さにほぼ等しい薄厚に形成されているため、図１５に示すように、ガイド片５６成形キャビティＣ４が単一の内周ブロック３２０Ａで形成されている場合には、溶融樹脂が薄厚のキャビティＣ４の末端部にまで充填されず、キャビティＣ４の末端部に空気が取り残されたまま冷却固化されて、ガイド片５６の先端部に欠肉部が生じるおそれがある。しかし、本実施例では、キャビティＣ４内のガスは、キャビティＣ４内に流入する溶融樹脂に押されて、図１１矢印に示すように、外側内周ブロック３２１と内側内周ブロック３２２間の境界３２３から金型２００外に抜けるので、キャビティＣ４の末端部にまで溶融樹脂が確実に充填されて、薄厚のガイド片５６に欠肉部が発生することはない。
【００５１】
また、外周ブロック３１０および内周ブロック３２０（の外側内周ブロック３２１）は、図１２に示すように、それぞれ縦方向に二分割された構造で、外側内周ブロック分割片３２１ａ，３２１ｂをそれぞれ内側内周ブロック３２２の外側面に組み付けることで、内周ブロック３２０として一体化でき、また外周ブロック分割片３１０ａ，３１０ｂをそれぞれ内周ブロック３２０の外側面に組み付けることで、入子３００として一体化できるので、入子３００の組み立てが容易である。
【００５２】
なお、前記した実施例では、入子３００が外周ブロック３１０と内周ブロック３２０（外側内周ブロック３２１，内側内周ブロック３２２）で構成されていたが、内周ブロック３２０は、外側内周ブロック３２１と内側内周ブロック３２２に分割されていない一体ものであってもよく、入子３００は、外周ブロック３１０と内周ブロック３２０に分割されていない一体ものであってもよい。
【００５３】
【発明の効果】
以上説明したように、請求項１に係るホルダ一体型ベースボード成形用の金型構造によれば、試作したベースボードにおける一部のＬＥＤ配設位置（ホルダ位置）を修正したい場合には、第２の金型全体を交換するまでもなく、一部のホルダ成形用の入子だけを交換することで対応できるので、コストも労力も少なくて済む。
【００５４】
また、試作したベースボードにおける一部のＬＥＤ配設位置（ホルダ位置）を修正したい場合には、入子全体（外周ブロックおよび内周ブロック）を交換するまでもなく、入子の一部である外周ブロックだけを交換することで対応できるので、コストも労力もさらに少なくて済む。
【００５５】
また、コード担持部成形キャビティ内のガスは、コード担持部成形キャビティ内に流入する溶融樹脂に押されて、外側内周ブロックと内側内周ブロック間の境界から金型外に抜けるので、コード担持部成形キャビティの末端部にまで溶融樹脂が確実に充填されて、薄厚のコード担持部に欠肉の発生しない金型構造が提供される。
【図面の簡単な説明】
【図１】本発明の金型を用いて射出成形したベースボードにＬＥＤを挿着一体化した光源ユニットを収容した自動車用テールアンドストップランプの正面図である。
【図２】同ランプの水平断面図（図１に示す線II−IIに沿う断面図）である。
【図３】同ランプの縦断面図（図１に示す線III−IIIに沿う断面図）である。
【図４】同ランプの要部分解斜視図である。
【図５】ホルダの平面図である。
【図６】ホルダーの縦断面図である。
【図７】同ランプの要部拡大縦断面図である。
【図８】ホルダーおよびＬＥＤの分解斜視図である。
【図９】制御回路基板の斜視図である。
【図１０】本発明に係るベースボード成形用金型の第１の実施例の断面図である。
【図１１】ホルダ成形用キャビティ周辺の拡大断面図である。
【図１２】ホルダ成形用キャビティを構成する入子の断面図（図１１に示す線XII−XIIに沿う断面図）であるである。
【図１３】ホルダ位置を所定量平行にずらす場合を示す平面図である。
【図１４】ホルダ位置を所定量平行にずらす場合を示す断面図（図１３に示す線XIV−XIVに沿う断面図）である。
【図１５】ガイドの片先端部に欠肉部が発生する様子を示す断面図である。
【図１６】従来のベースボードの斜視図である。
【図１７】ベースボード本体にホルダを挿着する様子を示す斜視図である。
【図１８】ホルダ一体型ベースボードの要部斜視図である。
【符号の説明】
１  ランプボディ
２  前面レンズ
３  光源ユニット
４  ベースボード
５  ホルダー
６  ＬＥＤ
７  電気コード
８  リフレクタ
９  制御回路基板
２１  開口部
２２，２３，２４，２５  リブ
４１  段部
５４  端子挿入口
５５  コード挿通溝
５６  コード担持部であるガイド片
６２  樹脂モールド
６３  リード端子
６４  スリット
６５  幅広スリット部
６６  幅狭スリット部
７１  芯線
７２  絶縁被覆
８４  リフレクタ部
２１０  固定側の第１の金型
２２０  可動側の第２の金型
３００  入子
３１０  外周ブロック
３２０  内周ブロック
３２１  外側内周ブロック
３２２  内側内周ブロック
３２３  外側内周ブロックと内側内周ブロック間の境界
Ｃ１  ベースボード成形キャビティ
Ｃ２  ホルダ成形キャビティ
Ｃ４  ガイド片（コード担持部）成形キャビティ
【図１】
0003852911.tif 000002
【図２】
0003852911.tif 000003
【図３】
0003852911.tif 000004
【図４】
0003852911.tif 000005
【図５】
0003852911.tif 000006
【図６】
0003852911.tif 000007
【図７】
0003852911.tif 000008
【図８】
0003852911.tif 000009
【図９】
0003852911.tif 000010
【図１０】
0003852911.tif 000011
【図１１】
0003852911.tif 000012
【図１２】
0003852911.tif 000013
【図１３】
0003852911.tif 000014
【図１４】
0003852911.tif 000015
【図１５】
0003852911.tif 000016
【図１６】
0003852911.tif 000017
【図１７】
0003852911.tif 000018
【図１８】
0003852911.tif 000019